(57)【要約】【課題】部品点数が少なく着脱作業が容易であり、または追い張り等の工事に迅速に対応できる等の管路止水装置を提供することを目的とする。【解決手段】ケーブルＣが敷設された管路Ｐを密封する管路止水装置であって、保持部材１と、保持部材１を覆う弾性変形可能な密封部材２と、密封部材２を挟んで配置される押圧板３、４と、押圧板３、４を締結する締結手段とを備える。仮組みした保持部材１及び押圧板３、４の外側からケーブルを装着でき、ケーブルＣの追い張り等の作業が容易になる。また、締結手段を締め込んで密封部材２を圧縮変形させることにより、密封部材２の外周面が管路Ｐの内周壁に密着し水等の浸入を防止する。【選択図】        図１
2004289983.tif 000002
【特許請求の範囲】
【請求項１】
ケーブルが敷設された管路を密封する管路止水装置であって、
略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段とを備え、
前記各押圧板には、その周縁に前記溝部に対応したケーブル係止溝が形成されていることを特徴とする管路止水装置。
【請求項２】
前記締結手段は、一端が一方の前記押圧板の中心に固着され他端が前記保持部材及び他方の前記押圧板の中心を貫通する１本の軸部材と、前記他方の押圧板側で前記軸部材の他端に螺合するナット部材とを備えることを特徴とする請求項１に記載の管路止水装置。
【請求項３】
前記締結手段は、一端が一方の前記押圧板に互いに適宜の間隔をおいて固着され他端が前記保持部材及び他方の前記押圧板を貫通する複数の軸部材と、前記他方の押圧板側で前記各軸部材の他端に螺合するナット部材とを備えることを特徴とする請求項１に記載の管路止水装置。
【請求項４】
ケーブルが敷設された管路を密封する管路止水装置であって、
略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段と、前記各押圧板と前記密封部材との間に前記押圧板と同軸に配置され、前記押圧板に対して回動自在に設けられたケーブル係止板とを備え、
前記各押圧板にはその周縁に前記溝部に対応した第１ケーブル係止溝が形成されると共に、前記各ケーブル係止板にはその周縁に前記溝部に対応した第２ケーブル係止溝が形成され、前記第１ケーブル係止溝は前記押圧板の中心に向かって形成された縦溝からなり、前記第２ケーブル係止溝は前記ケーブル係止板の中心に向かって形成された縦溝と該縦溝の底部から回動方向に向かって形成された横溝とからなり、
前記第１ケーブル係止溝の底部に前記ケーブルを係止した状態で前記ケーブル係止板を回動させて、前記押圧板の縦溝と前記ケーブル係止板の横溝とによって前記ケーブルの周囲を係止することを特徴とする管路止水装置。
【請求項５】
ケーブルが敷設された管路を密封する管路止水装置であって、
略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段と、前記各押圧板と前記密封部材との間に前記押圧板と同軸に配置され、前記押圧板に対して回動自在に設けられたケーブル係止板とを備え、
前記各ケーブル係止板にはその周縁に前記溝部に対応した第１ケーブル係止溝が形成されると共に、前記各押圧板にはその周縁に前記溝部に対応した第２ケーブル係止溝が形成され、前記第１ケーブル係止溝は前記ケーブル係止板の中心に向かって形成された縦溝からなり、前記第２ケーブル係止溝は前記押圧板の中心に向かって形成された縦溝と該縦溝の底部から回動方向に向かって形成された横溝とからなり、
前記第１ケーブル係止溝の底部に前記ケーブルを係止した状態で前記押圧板を回動させて、前記ケーブル係止板の縦溝と前記押圧板の横溝とによって前記ケーブルの周囲を係止することを特徴とする管路止水装置。
【請求項６】
前記密封部材の外周面に溝パターンが形成されていることを特徴とする請求項１〜５の何れか１項に記載の管路止水装置。
【発明の詳細な説明】
【０００１】
【発明の属する技術分野】
本発明は、通信ケーブル等が敷設された管路内部への水または泥等の浸入を防止する管路止水装置に関する。
【０００２】
【従来の技術】
近年、地下ケーブルを使用した電力供給や電気通信が広く行われている。このような通信ケーブル等の各種ケーブルは、地下に構築されている情報ボックス、電線共同溝、または下水道管から、専用管路を介してビルや一般住宅等の地下設備へ敷設されている。このような地下に埋設された通信線等の管路内に、雨水や汚水、汚泥等が浸入するとケーブルの腐食劣化を速めたり、ビル等の地下設備等に雨水等が引き込まれたりする場合があるので、管路の管口部を密封し防水する必要がある。このような問題に対処し、従来、管口部を密封する様々な止水装置（防水構造）が提案されている。
【０００３】
例えば、特許文献１に記載された防水装置は、弾性材料からなる円柱状のシールブロック体を管路内に挿入配置すると共に、シールブロック体に開設された挿通孔にケーブルを挿通し、シールブロック体の前後両側面に配置した扇形状の複数の分割締付盤を相互に締付ボルト、ナットにより締結し押圧することでシールブロック体を径方向に沿って膨張させる。それにより、シールブロック体の外周面は管路の内周面に、挿通孔の内周面はケーブルの外周面にそれぞれ密着し、管路内への水の浸入等を防止するようになっている。
【０００４】
【特許文献１】
特開２０００−３２０７３６号公報  （第１図）
【０００５】
【発明が解決しようとする課題】
ところで、需要家の電力または通信の使用事情が変わることにより、既に通信ケーブル等が敷設されている管路に、新たにケーブルを追加して増設（追い張り）する場合がある。そのような場合に備えて、管路内への水等の浸入を防止する止水装置もケーブルの敷設本数の変更に対応できることが要求されている。
【０００６】
ところが、上述のような従来の防水装置では、ケーブルの追い張り工事に伴い装置の着脱作業の際に、複数の分割締付盤を締結している各々のボルトを取り外してシールブロック体を除去し、新たに敷設されたケーブル本数に適合したシールブロック体を管路内に挿入後、更に複数の分割締付盤をボルト締めして装着させる必要があった。このように、従来の防水装置は、装置の着脱作業において取り扱う部品点数が多く、現場での作業が煩雑であった。
【０００７】
本発明はこうした課題に鑑みてなされたものであり、例えば、部品点数が少なく着脱作業が容易であり、または追い張り等の工事に迅速に対応できる等の管路止水装置を提供することを目的とする。
【０００８】
【課題を解決するための手段】
請求項１に記載の発明は、ケーブルが敷設された管路を密封する管路止水装置であって、略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段とを備え、前記各押圧板には、その周縁に前記溝部に対応したケーブル係止溝が形成されていることを特徴とする。
【０００９】
請求項１に記載の管路止水装置によれば、保持部材に形成された溝部にケーブルを嵌装し、密封部材を保持部材の外周面に巻き付けて覆う。ケーブルを装着した本管路止水装置を管路内の所定位置に挿入し、締結手段を締め込むことにより一対の押圧板を当接させて密封部材を軸方向に圧縮する。これにより、密封部材は弾性変形して半径方向に膨張し、密封部材の外周面が管路の内周壁に強く密着すると共に、密封部材の内周側でケーブルを密着挟持する。こうして、本管路止水装置は、ケーブルを挿通させた状態で管路を密封し、水または泥等の浸入を防止する。
【００１０】
また、押圧板の周縁に保持部材の溝部に対応してケーブル係止溝が形成されているので、押圧板の外側からケーブルを挿入し溝部に仮止めすることができる。これにより、管路にケーブルが敷設された状態でもケーブルを切断せずに容易に装着することができる。
【００１１】
請求項２に記載の発明は、請求項１に記載の管路止水装置であって、前記締結手段は、一端が一方の前記押圧板の中心に固着され他端が前記保持部材及び他方の前記押圧板の中心を貫通する１本の軸部材と、前記他方の押圧板側で前記軸部材の他端に螺合するナット部材とを備えることを特徴とする。
【００１２】
請求項２に記載の管路止水装置によれば、本管路止水装置を管路の所定位置に挿入後、１本の軸部材及びナット部材からなる締結手段を螺合し締め込むだけで本管路止水装置を設置することができるので、設置の際に取り扱う部品点数が少なく作業性が向上する。
【００１３】
また、１本の軸部材及びナット部材からなる締結手段を緩め、密封部材を取り除くことにより簡単にケーブルを本管路止水装置から取り外すことができるので、本管路止水装置の着脱作業が容易になる。
【００１４】
請求項３に記載の発明は、請求項１に記載の管路止水装置であって、前記締結手段は、一端が一方の前記押圧板に互いに適宜の間隔をおいて固着され他端が前記保持部材及び他方の前記押圧板を貫通する複数の軸部材と、前記他方の押圧板側で前記各軸部材の他端に螺合するナット部材とを備えることを特徴とする。
【００１５】
請求項３に記載の管路止水装置によれば、適宜の間隔をおいて一方の押圧板に固着された複数の軸部材により分散して各押圧板を締結し密封部材を押圧するので、各押圧板の反り等の変形量が少なくなり各押圧板の肉厚をより薄くすることができる。
【００１６】
請求項４に記載の発明は、ケーブルが敷設された管路を密封する管路止水装置であって、略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段と、前記各押圧板と前記密封部材との間に前記押圧板と同軸に配置され、前記押圧板に対して回動自在に設けられたケーブル係止板とを備え、前記各押圧板にはその周縁に前記溝部に対応した第１ケーブル係止溝が形成されると共に、前記各ケーブル係止板にはその周縁に前記溝部に対応した第２ケーブル係止溝が形成され、前記第１ケーブル係止溝は前記押圧板の中心に向かって形成された縦溝からなり、前記第２ケーブル係止溝は前記ケーブル係止板の中心に向かって形成された縦溝と該縦溝の底部から回動方向に向かって形成された横溝とからなり、前記第１ケーブル係止溝の底部に前記ケーブルを係止した状態で前記ケーブル係止板を回動させて、前記押圧板の縦溝と前記ケーブル係止板の横溝とによって前記ケーブルの周囲を係止することを特徴とする。
【００１７】
請求項４に記載の管路止水装置によれば、押圧板の周縁に保持部材の溝部に対応した第１ケーブル係止溝と、ケーブル係止板の周縁に溝部に対応した第２ケーブル係止溝が形成されているので、押圧板及びケーブル係止板の外側からこれらの縦溝にケーブルを挿入して保持部材に装着することができ、管路にケーブルが敷設された状態でも容易にケーブルを装着することができる。
【００１８】
また、ケーブルを押圧板の第１ケーブル係止溝の底部で係止した状態でケーブル係止板を回動させると、第１ケーブル係止溝の縦溝とケーブル係止板の第２ケーブル係止溝の横溝とでケーブルを挟んで係止する。第１ケーブル係止溝の縦溝と第２ケーブル係止溝の横溝は、ケーブルを係止する位置で交叉するので、ケーブルの周囲ではこれらの溝が塞がれる。これにより、密封部材を圧縮した際に、密封部材の一部が押圧板の第１ケーブル係止溝またはケーブル係止板の第２ケーブル係止溝にはみ出るのを防止する。
【００１９】
請求項５に記載の発明は、ケーブルが敷設された管路を密封する管路止水装置であって、略円柱状の外周面に軸方向に沿って前記ケーブルを保持する溝部が形成された保持部材と、前記保持部材の外周面を覆って前記ケーブルを挟持する弾性変形可能な密封部材と、前記保持部材及び前記密封部材の軸方向両側に配置された一対の押圧板と、前記各押圧板を締結し前記密封部材を圧縮変形する締結手段と、前記各押圧板と前記密封部材との間に前記押圧板と同軸に配置され、前記押圧板に対して回動自在に設けられたケーブル係止板とを備え、前記各ケーブル係止板にはその周縁に前記溝部に対応した第１ケーブル係止溝が形成されると共に、前記各押圧板にはその周縁に前記溝部に対応した第２ケーブル係止溝が形成され、前記第１ケーブル係止溝は前記ケーブル係止板の中心に向かって形成された縦溝からなり、前記第２ケーブル係止溝は前記押圧板の中心に向かって形成された縦溝と該縦溝の底部から回動方向に向かって形成された横溝とからなり、前記第１ケーブル係止溝の底部に前記ケーブルを係止した状態で前記押圧板を回動させて、前記ケーブル係止板の縦溝と前記押圧板の横溝とによって前記ケーブルの周囲を係止することを特徴とする。
【００２０】
請求項５に記載の管路止水装置によれば、ケーブルをケーブル係止板の第１ケーブル係止溝の底部で係止した状態で押圧板を回動させると、第１ケーブル係止溝の縦溝と、押圧板の第２ケーブル係止溝の横溝とでケーブルを挟んで係止する。第１ケーブル係止溝の縦溝と第２ケーブル係止溝の横溝は、ケーブルを係止する位置で交叉するので、ケーブルの周囲ではこれらの溝が塞がれる。これにより、密封部材を圧縮した際に、密封部材の一部がケーブル係止板の第１ケーブル係止溝または押圧板の第２ケーブル係止溝にはみ出るのを防止する。
【００２１】
請求項６に記載の発明は、請求項１〜５の何れか１項に記載の管路止水装置であって、前記密封部材の外周面に溝パターンが形成されていることを特徴とする。
【００２２】
請求項６に記載の管路止水装置によれば、溝パターンが形成された密封部材の外周面を管路の内周壁に密着させることにより、本管路止水装置に水圧等の圧力が作用しても、溝パターン部分が微少に変位し圧力を吸収緩和するので、本管路止水装置を管路内の一定の位置に保持する。
【００２３】
【発明の実施の形態】
本発明の好適な実施形態を図面を参照して説明する。なお、本実施形態は、通信ケーブル等のケーブルが３本敷設された管路の管口部に装着され管路内部への水または泥等の浸入を防止する止水装置について説明する。
【００２４】
図１は、第１の実施形態に係る止水装置の構成を示す分解斜視図である。同図において、本止水装置は、ゴム等の弾性材料からなる保持部材１と、ゴム等の弾性材料からなり保持部材１の外周面に巻き付けて覆う密封部材２と、保持部材１及び密封部材２の後面を押圧する押圧板３と、保持部材１及び密封部材２の前面を押圧する押圧板４と、保持部材１及び密封部材２を挟んで押圧板３、４を締結するボルト３１及びナット５１からなる締結手段を備えて構成されている。
【００２５】
保持部材１は略円柱状を有しており、その外周面には、ケーブルの一部を保持する溝部１１が軸方向（前後方向）に沿って所要数（例えば３箇所）形成されている。そして、溝部１１の軸方向に直交する横断面は、ケーブルの半径とほぼ同じ深さを有する略半円状の輪郭形状となっている。また、保持部材１の側面中心には、軸方向に沿ってボルト孔１２が穿通している。
【００２６】
密封部材２は、一箇所に切断部２２が設けられた環状部材であり、切断部２２を開放することで、保持部材１の外周面を覆うことができるようになっている。また、密封部材２の内周面には、上述の溝部１１に対応する位置に、保持部材１の溝部１１に保持されたケーブルの露出部分を嵌装して挟持する溝部２１が軸方向に沿って所要数形成されている。そして、溝部２１の横断面もケーブルの半径とほぼ同じ深さに形成された略半円状の輪郭形状となっている。
【００２７】
また、保持部材１を覆う密封部材２の外周面には、その周方向に沿って互いに平行な溝が複数刻まれ配列された溝パターン２３が形成されている。
【００２８】
保持部材１に密封部材２を巻き付けて覆った状態では、本止水装置が取り付けられる管路の内径より若干小さな外径になるように、適宜配分された保持部材１の外径、及び密封部材２の肉厚を有している。保持部材１及び密封部材２は、互いに同じ幅を有している。また、保持部材１を密封部材２で覆うことにより、溝部１１、２１が対向してケーブルを挟持するためのケーブル孔が形成される。
【００２９】
押圧板３は、例えばステンレス鋼等からなる略円板状の金属板であり、中心には、押圧面と直交してボルト３１の一端が溶接等で固着されている。そして、ボルト３１の他端には、ねじ部３４が螺刻されている。
【００３０】
また、押圧板３の周縁部分には、保持部材１の溝部１１に対応する位置に、ケーブルを係止するケーブル係止溝３２が所要数形成されている。このケーブル係止溝３２は、押圧板３の周縁で開口し、中心方向にあるケーブルを係止する位置まで略直線状にケーブルの径よりも若干大きい幅で欠切した縦溝となっており、ケーブル係止溝３２のケーブルを係止する底部は、上述の溝部１１及び２１からなるケーブル孔を囲むように湾曲した形状となっている。
【００３１】
押圧板４は、押圧板３と同様のケーブル係止溝４２が形成されたステンレス鋼等からなる略円板状の金属板であり、中心には、ボルト３１の軸を挿通させるボルト孔４１が穿孔されている。
【００３２】
締結手段は、押圧板３に固着された軸部材としてのボルト３１とナット５１とを備え構成されており、押圧板３と押圧板４で保持部材１及び密封部材２を挟み、ワッシャ５２を介してナット５１をボルト３１のねじ部３４に螺合し締め込むことにより、保持部材１及び密封部材２を軸方向に押圧し圧縮する。
【００３３】
次に、上述の止水装置を管路に取り付ける方法、及び動作を説明する。まず、保持部材１のボルト孔１２にボルト３１の軸を挿入して保持部材１の後面に押圧板３を当接させ、押圧板４のボルト孔４１にボルト３１の軸を挿入して保持部材１の前面に押圧板４を当接させる。そして、押圧板３、４を適宜回動させ、保持部材１の溝部１１と、押圧板３、４のケーブル係止溝３２、４２の位置を一致させる。ケーブル係止溝３２、４２の位置決めを行った後、ワッシャ５２を介してナット５１をボルト３１のねじ部３４に仮螺合する。このような本止水装置の仮組みを現場作業の前に予め行っておく。
【００３４】
次に、作業現場において、仮組みした本止水装置にケーブルＣを装着する。図２は、ケーブルＣを本止水装置に装着する方法を示す図である。同図に示すように、仮組みした本止水装置の外側から、押圧板３、４のケーブル係止溝３２、４２と交叉するようにケーブルＣを挿入し、保持部材１の溝部１１にケーブルＣの一部分を嵌装することでケーブルＣを仮止めする。そして、密封部材２の切断部２２を開きながら溝部２１にケーブルＣの他の部分を嵌装させて保持部材１を密封部材２で巻き付けて覆う。こうして、保持部材１は、溝部１１でケーブルＣを保持し、密封部材２の溝部２１でケーブルＣを挟持する。
【００３５】
図３は、管路Ｐに取り付けた本止水装置の部分縦断面図である。同図に示すように、ケーブルＣを装着した本止水装置を管路Ｐの管口部から所定の位置まで挿入する。そして、ナット５１を螺合し高トルクで締め込むことにより、押圧板３、４を当接させて保持部材１及び密封部材２を軸方向に圧縮する。これにより、保持部材１及び密封部材２は半径方向に膨張し、密封部材２の外周面が管路Ｐの内周壁に強く密着する。また同時に、密封部材２の内周側でケーブルＣに対して押圧力が作用し、ケーブルＣを溝部１１、２１で密着挟持する。このようにして、本止水装置は、ケーブルＣを挿通させた状態で管路Ｐの管口部を密封し、外部からの水または泥等の浸入を防止する。
【００３６】
第１の実施形態に係る止水装置によれば、保持部材１に形成された溝部１１にケーブルＣを嵌装し、密封部材２を保持部材１の外周面に巻き付けて覆う。ケーブルＣを装着した本止水装置を管路Ｐ内の所定位置に挿入し、締結手段を締め込むことにより、押圧板３、４を当接させて保持部材１及び密封部材２を軸方向に圧縮する。これにより、保持部材１及び密封部材２は弾性変形して半径方向に膨張し、密封部材２の外周面が管路Ｐの内周壁に強く密着する。また同時に、密封部材２の内周側で押圧力が作用しケーブルＣを密着挟持する。こうして、本止水装置は、ケーブルＣを挿通させた状態で管路Ｐの管口部を密封し、水または泥等が外部から管路Ｐ内へ浸入するのを防止することができる。
【００３７】
また、押圧板３、４の周縁に保持部材１の溝部１１に対応してケーブル係止溝３２、４２が形成されているので、仮組みした押圧板３、４の外側からケーブルＣを挿入して保持部材１の溝部１１に装着することができる。したがって、管路ＰにケーブルＣが敷設された状態でも、ケーブルＣを切断せずに容易に装着することができる。
【００３８】
また、予め保持部材１及び押圧板３、４を仮組みした本止水装置にケーブルＣを装着して管路内に挿入後、１本のボルト３１及びナット５１からなる締結手段を締め込むだけで本止水装置を設置することができ、設置の際に取り扱う部品点数が少なく作業性が向上する。
【００３９】
また、本止水装置は、１本のボルト３１及びナット５１からなる締結手段を緩めることにより、簡単に管路Ｐから抜き取ることができると共に、保持部材１を覆っている密封部材２を取り除くことで容易にケーブルＣを取り外すことができる。したがって、本止水装置は、ケーブルＣが敷設されている管路でも着脱作業が容易であり、ケーブルＣの追い張り等に伴う装置の交換作業に迅速に対応することができる。
【００４０】
また、溝パターン２３が形成された密封部材２の外周面を管路Ｐの内周壁に密着させることにより、本止水装置に水圧等の圧力が作用しても、溝パターン２３部分が微少に変位して圧力を吸収緩和するので、本止水装置は、管路Ｐ内で滑ることなく一定の位置に保持される。
【００４１】
次に、第１の実施形態の変形である第２の実施形態を説明する。図４は、第２の実施形態に係る止水装置の構成を示す分解斜視図である。なお、図１〜３で示した第１の実施形態と同一の構成要素を同一の符号で示している。
【００４２】
同図において、本止水装置は、ゴム等の弾性材料からなる保持部材１と、ゴム等の弾性材料からなり保持部材１の外周面に巻き付けて覆う密封部材２と、保持部材１及び密封部材２の後面を押圧する押圧板３と、保持部材１及び密封部材２の前面を押圧する押圧板４と、保持部材１及び密封部材２を挟んで押圧板３、４を締結する複数のボルト３１ａ、３１ｂ、３１ｃ及び複数のナット５１ａ、５１ｂ、５１ｃ等からなる締結手段を備えて構成されている。
【００４３】
ボルト３１ａ、３１ｂ、３１ｃの一端側は、押圧板３に適宜の間隔をおいて各々固着されている。保持部材１の側面には、ボルト３１ａ、３１ｂ、３１ｃを嵌挿するボルト孔１２ａ、１２ｂ、１２ｃが各々対応する位置に穿通している。また、押圧板４にも、ボルト３１ａ、３１ｂ、３１ｃを嵌挿するボルト孔４１ａ、４１ｂ、４１ｃが各々対応する位置に穿通している。
【００４４】
上述の止水装置を管路Ｐに取り付ける方法、及び動作を説明する。まず、保持部材１のボルト孔１２ａ、１２ｂ、１２ｃ、及び押圧板４のボルト孔４１ａ、４１ｂ、４１ｃにボルト３１ａ、３１ｂ、３１ｃの軸を挿入し、ワッシャ５２ａ、５２ｂ、５２ｃを介してナット５１ａ、５１ｂ、５１ｃにより仮螺合する。このようにして仮組みした本止水装置にケーブルＣを装着し、密封部材２で保持部材１を覆う。ケーブルＣが装着された本止水装置を管路Ｐに挿入後、ナット５１ａ、５１ｂ、５１ｃを高トルクで締め込み、押圧板３、４を当接させて保持部材１及び密封部材２を軸方向に圧縮する。これにより、保持部材１及び密封部材２は半径方向に膨張し、密封部材２の外周面が管路Ｐの内周壁に強く密着する。また同時に、密封部材２の内周側でケーブルＣに対して押圧力が作用し、ケーブルＣを溝部１１、２１で密着挟持する。このように、本止水装置は、ケーブルＣを挿通させた状態で管路Ｐの管口部を密封し、水または泥等が外部から管路Ｐ内へ浸入するのを防止する。
【００４５】
第２の実施形態に係る止水装置によれば、適宜の間隔をおいて配置された複数のボルト３１ａ、３１ｂ、３１ｃにより分散して押圧板３、４を締結し保持部材１及び密封部材２を押圧する。それにより、１本のボルトで締結するのに比較して、押圧板３、４の反り等の変形量が少なくなり、押圧板３、４の肉厚をより薄くすることができる。
【００４６】
次に、第１の実施形態の更なる変形である第３の実施形態を説明する。図５は、第３の実施形態に係る止水装置の構成を示す分解斜視図である。なお、図１〜３で示した第１の実施形態と同一の構成要素を同一の符号で示している。
【００４７】
同図において、本止水装置は、ゴム等の弾性材料からなる保持部材１と、ゴム等の弾性材料からなり保持部材１の外周面に巻き付けて覆う密封部材２と、保持部材１及び密封部材２の後面側を押圧する押圧板３と、保持部材１及び密封部材２の前面側を押圧する押圧板４と、押圧板３と保持部材１及び密封部材２の間に介在するケーブル係止板６と、押圧板４と保持部材１及び密封部材２の間に介在するケーブル係止板７と、保持部材１及び密封部材２を挟んで押圧板３、４を締結するボルト３１及びナット５１からなる締結手段を備えて構成されている。
【００４８】
ケーブル係止板６は、例えばステンレス鋼等からなる略円板状の金属板であり、中心にボルト３１の軸を挿通するためのボルト孔６１が穿孔されている。
【００４９】
また、ケーブル係止板６の周縁には、保持部材１の溝部１１に対応する位置にケーブルＣを係止するケーブルＣの径よりも若干大きい幅のケーブル係止溝６２が所要数形成されている。このケーブル係止溝６２は、ケーブル係止板６の周縁に開口しケーブル係止板６の中心に向かって略直線状に欠切した縦溝と、当該縦溝の底部からボルト孔６１の中心を軸とする所定の回動方向に向かって円弧状に欠切した横溝６３とから形成されている。
【００５０】
ケーブル係止板７は、ケーブル係止板６と同様のボルト孔７１、ケーブル係止溝７２、及び横溝７３が形成されたステンレス鋼等からなる金属板である。
【００５１】
パッキン８は、ボルト孔６１とほぼ同一の内径を有する円環状のシール材からなり、ケーブル係止板６の押圧板３側で、ボルト孔６１の周縁を囲むように接着される。または、パッキン８を、ケーブル係止板６と押圧板３の間に介在させ、ボルト３１の軸にパッキン８を巻き付けて装着してもよい。
【００５２】
次に、上述の止水装置を管路Ｐに取り付ける方法、及び動作を説明する。まず、ケーブル係止板６と押圧板３の間にパッキン８を介在させて、ケーブル係止板６のボルト孔６１にボルト３１の軸を挿入する。そして、保持部材１のボルト孔１２にボルト３１の軸を挿入して保持部材１の後面にケーブル係止板６を当接させる。次に、ケーブル係止板７のボルト孔７１にボルト３１の軸を挿入して、保持部材１の前面にケーブル係止板７を当接させる。そして、押圧板４のボルト孔４１にボルト３１の軸を挿入して、ケーブル係止板７に押圧板４を当接させる。なお、ケーブル係止板６、７は、ボルト３１を共通軸として押圧板３、４に対して回動自在となっている。
【００５３】
次に、押圧板３、４及びケーブル係止板６、７を適宜回動させ、保持部材１の溝部１１、押圧板３、４のケーブル係止溝３２、４２、及びケーブル係止板６、７のケーブル係止溝６２、７２の位置を各々一致させる。そして、ワッシャ５２を介してナット５１をボルト３１のねじ部３４に仮螺合する。
【００５４】
このような本止水装置の仮組みを予め行っておき、作業現場において、仮組みした本止水装置にケーブルＣを装着する。図６は、仮組みした本止水装置にケーブルＣを装着した斜視図である。
【００５５】
まず、仮組みした本止水装置の外側から、押圧板３、４のケーブル係止溝３２、４２、及びケーブル係止板６、７のケーブル係止溝６２、７２の各縦溝にケーブルＣを挿入し、保持部材１の溝部１１にケーブルＣの一部分を嵌装する。
【００５６】
ケーブルＣを所要数装着した後、ケーブルＣを押圧板３のケーブル係止溝３２の底部に係止した状態でケーブル係止板６を矢示方向に回動させて、ケーブルＣをケーブル係止溝３２の縦溝とケーブル係止溝６２の横溝６３とで挟み周囲を係止する。このとき、ケーブル係止溝３２の縦溝とケーブル係止溝６２の横溝６３は、ケーブルＣを係止する位置で交叉するので、ケーブルＣの周囲ではこれらの溝が塞がれる。
【００５７】
同様に、ケーブル係止板７を所定方向に回動させて、ケーブルＣを押圧板４のケーブル係止溝４２の縦溝とケーブル係止溝７２の横溝７３とで挟み係止する。ケーブル係止溝４２とケーブル係止溝７２はケーブルＣの周囲で塞がれる。
【００５８】
次に、密封部材２を保持部材１に巻き付けて覆い、本止水装置を管路Ｐに挿入する。そして、ナット５１を高トルクで締め込むことにより、押圧板３、４及びケーブル係止板６、７を介して保持部材１及び密封部材２を軸方向に圧縮する。このとき、ケーブルＣの周囲で、押圧板３、４に形成されたケーブル係止溝３２、４２とケーブル係止板６、７に形成されたケーブル係止溝６２、７２とは塞がれているので、保持部材１または密封部材２の一部がこれらのケーブル係止溝３２、４２、６２、７２にはみ出ることはない。
【００５９】
また、パッキン８は、ケーブル係止板６及び押圧板３の隙間と、保持部材１のボルト孔１２とを密封し、これらの間における水または泥等の移動を防止する。
【００６０】
第３の実施形態に係る止水装置によれば、保持部材１の溝部１１に対応して、押圧板３、４の周縁にケーブル係止溝３２、４２が形成され、またケーブル係止板６、７の周縁にケーブル係止溝６２、７２が形成されているので、仮組みした押圧板３、４及びケーブル係止板６、７の外側からケーブルＣを挿入し保持部材１に装着することができ、管路ＰにケーブルＣが敷設された状態でも、ケーブルＣを切断せずに容易に装着することができる。
【００６１】
また、ケーブル係止板６、７を所定方向に回動させることにより、ケーブルＣを押圧板３、４のケーブル係止溝３２、４２及びケーブル係止板６、７のケーブル係止溝６２、７２に挟んで係止することができる。同時に、ケーブルＣの周囲では、ケーブル係止溝３２、４２とケーブル係止溝６２、７２は塞がれているので、保持部材１及び密封部材２を軸方向に圧縮した際に、保持部材１または密封部材２の一部が押圧板３、４のケーブル係止溝３２、４２またはケーブル係止板６、７のケーブル係止溝６２、７２にはみ出るのを防止する。したがって、保持部材１または密封部材２がはみ出ることにより生じる亀裂等により密封性が損なわれるのを未然に防止することができる。
【００６２】
また、保持部材１または密封部材２のはみ出しが防止されるので、押圧板３、４を介して保持部材１及び密封部材２の両側のほぼ全面を均等に押圧することができる。それにより、密封部材２の外周面が管路Ｐの内周壁に均等に密着し、密封性能が向上する。
【００６３】
次に、第３の実施形態の変形である第４の実施形態を説明する。図７は、第３の実施形態に係る止水装置の構成を示す分解斜視図である。なお、図５及び６で示した第３の実施形態と同一の構成要素を同一符号で示している。
【００６４】
同図において、本止水装置は、ゴム等の弾性材料からなる保持部材１と、ゴム等の弾性材料からなり保持部材１の外周面に巻き付けて覆う密封部材２と、保持部材１及び密封部材２の後面側を押圧する押圧板３と、保持部材１及び密封部材２の前面側を押圧する押圧板４と、押圧板３と保持部材１及び密封部材２の間に介在するケーブル係止板６と、押圧板４と保持部材１及び密封部材２の間に介在するケーブル係止板７と、保持部材１及び密封部材２を挟んで押圧板３、４を締結するボルト３１及びナット５１からなる締結手段を備えて構成されている。
【００６５】
ケーブル係止板６、７の周縁部分には、保持部材１の溝部１１に対応する位置に、ケーブルＣを係止するケーブル係止溝６２、７２が所要数形成されている。このケーブル係止溝６２、７２は、ケーブル係止板６、７の周縁に開口し、中心方向にあるケーブルＣを係止する位置まで略直線状にケーブルＣの径よりも若干大きい幅で欠切した縦溝となっており、その底部はケーブルＣを囲むように湾曲した形状となっている。
【００６６】
押圧板３、４の周縁には、保持部材１の溝部１１に対応する位置に、ケーブルＣを係止するケーブル係止溝３２、４２がケーブルＣの径よりも若干広い幅で所要数形成されている。これらのケーブル係止溝３２、４２は、押圧板３、４の周縁に開口し押圧板３、４の中心に向かって略直線状に欠切した縦溝と、当該縦溝の底部からボルト３１の中心を軸とする所定の回動方向に向かって円弧状に欠切した横溝３３、４３とから形成されている。
【００６７】
次に、上述の止水装置を管路Ｐに取り付ける方法、及び動作を説明する。まず、ケーブル係止板６と押圧板３の間にパッキン８を介在させて、ケーブル係止板６のボルト孔６１にボルト３１の軸を挿入する。そして、保持部材１のボルト孔１２にボルト３１の軸を挿入して保持部材１の後面にケーブル係止板６を当接させる。次に、ケーブル係止板７のボルト孔７１にボルト３１の軸を挿入して、保持部材１の前面に、ケーブル係止板７を当接させる。そして、押圧板４のボルト孔４１にボルト３１の軸を挿入して、ケーブル係止板７に押圧板４を当接させる。
【００６８】
次に、押圧板３、４及びケーブル係止板６、７を適宜回動させ、保持部材１の溝部１１、押圧板３、４のケーブル係止溝３２、４２、及びケーブル係止板６、７のケーブル係止溝６２、７２の位置を各々一致させる。そして、ワッシャ５２を介してナット５１をボルト３１のねじ部３４に仮螺合する。
【００６９】
このような本止水装置の仮組みを予め行っておき、仮組みした本止水装置の外側から、押圧板３、４のケーブル係止溝３２、４２、及びケーブル係止板６、７のケーブル係止溝６２、７２の各縦溝にケーブルＣを挿入し、保持部材１の溝部１１にケーブルＣの一部分を嵌装する。
【００７０】
ケーブルＣを所要数装着した後、ケーブルＣをケーブル係止板６、７のケーブル係止溝６２、７２の底部に係止した状態で押圧板３、４を所定の回動方向に回動させて、ケーブルＣをケーブル係止溝６２、７２の縦溝とケーブル係止溝３２、４２の横溝３３、４３とで挟み周囲を係止する。このとき、ケーブル係止溝６２、７２の縦溝とケーブル係止溝３２、４２の横溝３３、４３は、ケーブルＣを係止する位置で交叉するので、ケーブルＣの周囲ではこれらの溝が塞がれる。
【００７１】
次に、密封部材２を保持部材１に巻き付けて覆い、本止水装置を管路Ｐに挿入する。そして、ナット５１を高トルクで締め込むことにより、押圧板３、４及びケーブル係止板６、７を介して保持部材１及び密封部材２を軸方向に圧縮する。このとき、ケーブルＣの周囲では、押圧板に形成されたケーブル係止溝３２、４２とケーブル係止板６、７に形成されたケーブル係止溝６２、７２とは塞がれているので、保持部材１または密封部材２の一部がこれらのケーブル係止溝３２、４２、６２、７２にはみ出ることはない。
【００７２】
第４の実施形態に係る止水装置によれば、保持部材１の溝部１１に対応して、押圧板３、４の周縁にケーブル係止溝３２、４２が形成され、またケーブル係止板６、７の周縁にケーブル係止溝６２、７２が形成されているので、仮組みした押圧板３、４及びケーブル係止板６、７の外側からケーブルＣを挿入して溝部１１に装着することができ、管路ＰにケーブルＣが敷設された状態でも、ケーブルＣを切断せずに容易に装着することができる。
【００７３】
また、押圧板３、４を所定方向に回動させることにより、ケーブルＣを押圧板３、４のケーブル係止溝３２、４２及びケーブル係止板６、７のケーブル係止溝６２、７２に挟んで係止することができる。同時に、ケーブルＣの周囲では、ケーブル係止溝３２、４２とケーブル係止溝６２、７２は塞がれているので、保持部材１及び密封部材２を軸方向に圧縮した際に、保持部材１または密封部材２の一部が押圧板３、４のケーブル係止溝３２、４２またはケーブル係止板６、７のケーブル係止溝６２、７２にはみ出るのを防止する。したがって、保持部材１または密封部材２がはみ出ることにより生じる亀裂等により密封性が損なわれるのを未然に防止することができる。
【００７４】
また、保持部材１または密封部材２のはみ出しが防止されるので、押圧板３、４を介して保持部材１及び密封部材２の両側のほぼ全面を均等に押圧することができる。それにより、密封部材２の外周面が管路Ｐの内周壁に均等に密着し、密封性能が向上する。
【００７５】
なお、上述の実施形態では、３本のケーブルが敷設された管路の止水装置について説明したが、本発明は、ケーブル本数をこれに限定するものではなく、敷設されるケーブル本数に合わせて適宜数、溝部１１、２１、ケーブル係止溝３２、４２、６２、７２等を形成してもよい。
【００７６】
【発明の効果】
請求項１に記載の管路止水装置によれば、保持部材に形成された溝部にケーブルを嵌装し、密封部材を保持部材の外周面に巻き付けて覆う。ケーブルを装着した本管路止水装置を管路内の所定位置に挿入し、締結手段を締め込むことにより、一対の押圧板を当接させて密封部材を軸方向に圧縮する。これにより、密封部材は弾性変形して半径方向に膨張し、密封部材の外周面が管路の内周壁に強く密着すると同時に、密封部材の内周側でケーブルを密着挟持する。こうして、本管路止水装置は、ケーブルを挿通させた状態で管路を密封し、水または泥等の浸入を防止することができる。
【００７７】
また、押圧板の周縁に溝部に対応してケーブル係止溝が形成されているので、押圧板の外側からケーブルを挿入して溝部に仮止めすることができる。これにより、管路にケーブルが敷設された状態でも、ケーブルを切断せずに容易に装着することができる。したがって、ケーブルの追い張り等の作業性が向上する。
【００７８】
請求項２に記載の管路止水装置によれば、本管路止水装置を管路の所定位置に挿入後、１本の軸部材及びナット部材からなる締結手段を螺合し締め込むだけで本管路止水装置を設置することができるので、設置の際に取り扱う部品点数が少なく作業性が向上する。
【００７９】
また、１本の軸部材及びナット部材からなる締結手段を緩め、密封部材を取り除くことにより簡単にケーブルを本管路止水装置から取り外すことができるので、本管路止水装置の着脱作業が容易になる。
【００８０】
請求項３に記載の管路止水装置によれば、適宜の間隔をおいて一方の押圧板に固着された複数の軸部材により分散して各押圧板を締結し、密封部材を押圧するので、各押圧板の反り等の変形量が少なくなり各押圧板の肉厚をより薄くすることができる。
【００８１】
請求項４に記載の管路止水装置によれば、押圧板の周縁に保持部材の溝部に対応した第１ケーブル係止溝と、ケーブル係止板の周縁に溝部に対応した第２ケーブル係止溝が形成されているので、押圧板及びケーブル係止板の外側からこれらの縦溝にケーブルを挿入して保持部材の溝部に装着することができ、管路にケーブルが敷設された状態でも容易にケーブルを装着することができる。
【００８２】
また、ケーブルを押圧板の第１ケーブル係止溝の底部で係止した状態でケーブル係止板を回動させると、第１ケーブル係止溝の縦溝とケーブル係止板の第２ケーブル係止溝の横溝とでケーブルを挟んで係止する。第１ケーブル係止溝の縦溝と第２ケーブル係止溝の横溝は、ケーブルを係止する位置で交叉するので、ケーブルの周囲ではこれらの溝が塞がれる。これにより、密封部材を圧縮した際に、密封部材の一部が押圧板の第１ケーブル係止溝またはケーブル係止板の第２ケーブル係止溝にはみ出るのを防止することができる。
【００８３】
したがって、密封部材がはみ出ることにより生じる亀裂等により密封性が損なわれるのを未然に防止することができる。
【００８４】
また、密封部材のはみ出しを防止するので、押圧板及びケーブル係止板を介して密封部材の両側のほぼ全面を均等に押圧することができる。それにより、密封部材の外周面が管路の内周壁に均等に密着し、密封性能が向上する。
【００８５】
請求項５に記載の管路止水装置によれば、ケーブルをケーブル係止板の第１ケーブル係止溝の底部で係止した状態で押圧板を回動させると、第１ケーブル係止溝の縦溝と押圧板の第２ケーブル係止溝の横溝とでケーブルを挟んで係止する。第１ケーブル係止溝の縦溝と第２ケーブル係止溝の横溝は、ケーブルを係止する位置で交叉するので、ケーブルの周囲ではこれらの溝が塞がれる。これにより、密封部材を圧縮した際に、密封部材の一部がケーブル係止板の第１ケーブル係止溝または押圧板の第２ケーブル係止溝にはみ出るのを防止する。
【００８６】
したがって、密封部材がはみ出ることにより生じる亀裂等により密封性が損なわれるのを未然に防止することができる。
【００８７】
また、密封部材のはみ出しを防止するので、押圧板及びケーブル係止板を介して密封部材の両側のほぼ全面を均等に押圧することができる。それにより、密封部材の外周面が管路の内周壁に均等に密着し、密封性能が向上する。
【００８８】
請求項６に記載の管路止水装置によれば、溝パターンが形成された密封部材の外周面を管路の内周壁に密着させることにより、本管路止水装置に水圧等の圧力が作用しても、溝パターン部分が微少に変位し圧力を吸収緩和するので、本管路止水装置を管路内の一定の位置に保持することができる。
【図面の簡単な説明】
【図１】第１の実施形態に係る止水装置の構成を示す分解斜視図である。
【図２】第１の実施形態に係る止水装置にケーブルＣを装着する方法を示す斜視図である。
【図３】管路に取り付けた第１の実施形態に係る止水装置の部分断面図である。
【図４】第２の実施形態に係る止水装置の構成を示す分解斜視図である。
【図５】第３の実施形態に係る止水装置の構成を示す分解斜視図である。
【図６】第３の実施形態に係る止水装置にケーブルＣを装着した斜視図である。
【図７】第４の実施形態に係る止水装置の構成を示す分解斜視図である。
【符号の説明】
１…保持部材、  １１…溝部、  １２…ボルト孔
２…密封部材、  １２…溝部、  ２２…切断部
２３…溝パターン
３…押圧板、  ３１…ボルト（軸部材）
３２…ケーブル係止溝、  ３３…横溝、  ３４…ねじ部
４…押圧板、  ４１…ボルト孔、
４２…ケーブル係止溝、  ４３…横溝
５１…ナット（ナット部材）、  ５２…ワッシャ
６…ケーブル係止板、  ６１…ボルト孔
６２…ケーブル係止溝、  ６３…横溝
７…ケーブル係止板、  ７１…ボルト孔
７２…ケーブル係止溝、  ７３…横溝
８…パッキン
Ｃ…ケーブル、  Ｐ…管路
【図１】
2004289983.tif 000003
【図２】
2004289983.tif 000004
【図３】
2004289983.tif 000005
【図４】
2004289983.tif 000006
【図５】
2004289983.tif 000007
【図６】
2004289983.tif 000008
【図７】
2004289983.tif 000009